(57)【要約】【課題】尾錠付きバンドが本来有する意匠性を確実に維持でき、かつ装着帯等の交換を安価にできる中留具、バンド、および装身具を提供すること。【解決手段】中留具１０では、下板部材２０のバンド取付部２０Ｂおよび中板部材３０の尾錠取付部３０Ｆに対し、任意のバンド３の装着帯４０，５０および尾錠８０をそのまま取付可能にした。従って、既設のバンド３に用いられている装着帯４０，５０および尾錠８０をそのまま流用でき、尾錠８０付きのバンド３が本来保有する意匠性を確実に維持できる。また、装着帯４０，５０等が老朽化し、市販バンドと交換するときでも、中留具を残したまま尾錠および装着帯のみを交換することができることから、新たな中留具が付いたバンドを丸ごと新規に購入して交換する必要がなく、交換に要する費用を安価にできる。【選択図】  図１
2004267280.tif 000002
【特許請求の範囲】
【請求項１】
装身具に用いられる装着帯の第１端部および第２端部同士を連結するための中留具において、
互いの一端同士が折り畳み自在に連結された中板部材および下板部材を備え、
これら中板部材および下板部材のいずれか一方の部材の他端には、任意に選択された装着帯の第１端部が着脱自在に取り付けられる第１取付部が設けられ、
前記中板部材および下板部材のいずれか他方の部材の他端には、任意に選択された尾錠が着脱自在に取り付けられる第２取付部が設けられ、
この尾錠に他方の装着帯の第２端部側が係止される
ことを特徴とする中留具。
【請求項２】
装身具に用いられる装着帯の第１端部および第２端部同士を連結するための中留具において、
一対の中板部材と、両端にこれら中板部材の一端が折り畳み自在に連結された下板部材とを備え、
前記一対の中板部材のうちの一方の中板部材の他端には、任意に選択された前記一対の装着帯のうちの一方の装着帯の他端が着脱自在に取り付けられる第１取付部が設けられ、
前記一対の中板部材のうちの他方の中板部材の他端には、任意に選択された尾錠が着脱自在に取り付けられる第２取付部が設けられ、
この尾錠に他方の装着帯の第２端部側が係止される
ことを特徴とする中留具。
【請求項３】
請求項１または請求項２に記載の中留具において、
前記中板部材および下板部材は、折り畳まれることで互いに係合するとともに、
この中板部材または下板部材には、互いの係合状態を解除する操作部が設けられている
ことを特徴とする中留具。
【請求項４】
装身具本体に一方の端部が連結される一対の装着帯と、これら装着帯の他端同士を連結するための中留具とで構成されたバンドにおいて、
前記中留具は、請求項１ないし請求項３のいずれかに記載の中留具である
ことを特徴とするバンド。
【請求項５】
装身具本体に一方の端部が連結される一対の装着帯と、これら装着帯の他端同士を連結するための中留具とで構成されたバンドを有する装身具において、
前記中留具は、請求項１ないし請求項３のいずれかに記載の中留具である
ことを特徴とする装身具。
【請求項６】
請求項５に記載の装身具において、時計であることを特徴とする装身具。
【発明の詳細な説明】
【０００１】
【発明の属する技術分野】
本発明は、中留具、バンド、および装身具に関する。
【０００２】
【背景技術】
従来、装身具や時計において、一対の装着帯を備えて構成されるレザーバンドやウレタンバンド等の止め具としては、バンドを挿通する枠部材と、このバンドに孔設された調整孔に挿し通す突棒とを備えた尾錠が多く使用されている。尾錠は、構造が簡単なこともあり、各種デザインのものが提供されている。しかし、バンドの着脱を繰り返す調整孔の周囲が傷みやすく、また、金属バンドに使用される中留具に比べ、バンドの着脱がしにくいという課題があった。
【０００３】
そのため、装身具や時計のレザーバンドやウレタンバンド等の止め具としても、中留具を使用することが提案されている。
例えば、互いの一端同士が連結された二つ折れの中板部材および下板部材を用いるとともに、中板部材に上箱部材を連結し、調整孔を有する一方の装着帯を下板部材の端部に取り付けられている支え枠内に挿通し、下板部材の下面側の挿し止めピンを調整孔に挿し通して係止し、もう一方の装着帯を上箱に取り付けた中留具が知られている（例えば、特許文献１）。
また、上箱にプッシュ式の操作部を設け、この上箱に二つ折れの中留具を連結し、操作部の開閉止孔に係脱する係止用ピンを下板部材に設け、調整孔を有する一方の装着帯を下板部材の端部に形成した通し孔に挿入し、下板部材の下面側で挿し止めピンを調整孔に挿し通して係止し、もう一方の装着帯を上箱に取り付けた中留具が知られている（例えば、特許文献２）。
また、一端同士が連結された下板部材および中板部材を備え、その中板部材の他端に設けられた上板部材に尾錠を連結し、この尾錠で他方の装着帯を係止する中留具も知られている。なお、この中留具は、操作部を上板部材に備えている他、一対の中板部材を備えた観音開き式もある（例えば、特許文献３）。
【０００４】
【特許文献１】
実用新案第３０４６３９２号公報（図１、図２、図３）
【特許文献２】
実用新案第３０６１１９１号公報（図１、図２、図３）
【特許文献３】
特開平９−２０１２１３号公報（図１、図１３）
【０００５】
【発明が解決しようとする課題】
このような特許文献１や特許文献２の中留具では、上箱部材に二つ折れの下板部材および中板部材が連結され、調整孔を有する装着帯は、下板部材端部に設けられた支え枠、または通し孔を通して下板部材下面に向かって挿通され、挿し止めピンによって係止される構造であるために、中留具としてレザーバンドやウレタンバンド等に使用されている尾錠を用いることができず、尾錠付きバンドと同じ外観は得られない。また、腕に装着した際に、装着帯が下板部材下面側にあり、上箱部材が腕に対して最も外側に配置されているので、この点でも、尾錠付きバンドと同じ外観は得られない。
これらに対し、特許文献３の中留具では、上箱部材に取り付けられた尾錠内に装着帯を挿通させて、装着帯が係止される構造のために、一般の尾錠付のバンドと同等な外観が得られる。
しかし、尾錠に関して、これを構成する突棒や枠部材は当該尾錠用に専用に設計されたものであるため、一般的に用いられている尾錠を取り付けることができない。従って、このような中留具を用いた場合には、次のような問題がある。
すなわち、第１に、バンドの着脱性を容易にするために単なる尾錠付きのバンドを中留付きに変更する場合には、既設のバンドに用いられている尾錠をそのまま流用することができず、意匠性が損なわれる。つまり、バンドは通常、装着帯と尾錠とのトータルコーディネイトで全体がデザインされているため、本来の尾錠が使えないとデザイン的にアンバランスが生じるのである。
第２に、既にそのような中留具付きのバンドを使用している場合であって、装着帯等が老朽化した場合には、中留具が付いたバンドを丸ごと交換する必要があるため、広く市販されている尾錠付きのバンドを購入し、中留具を残したまま尾錠および装着帯のみを交換することができない。このため、交換に要する費用がかさんで不経済である。勿論、中留具が付いたバンドを購入し、装着帯のみを交換することも可能であるが、このような場合には、前記第１の問題が生じる。
【０００６】
本発明の目的は、尾錠付きバンドが本来有する意匠性を確実に維持でき、かつ装着帯等の交換を安価にできる中留具、バンド、および装身具を提供することにある。
【０００７】
【課題を解決するための手段】
本発明の中留具は、装身具に用いられる装着帯の第１端部および第２端部同士を連結するための中留具において、互いの一端同士が折り畳み自在に連結された中板部材および下板部材を備え、これら中板部材および下板部材のいずれか一方の部材の他端には、任意に選択された装着帯の第１端部が着脱自在に取り付けられる第１取付部が設けられ、前記中板部材および下板部材のいずれか他方の部材の他端には、任意に選択された尾錠が着脱自在に取り付けられる第２取付部が設けられ、この尾錠に他方の装着帯の第２端部側が係止されることを特徴とする。ここで、バンドとしては、レザーバンドやウレタンバンド等の柔軟性のある材料から形成されているバンドを採用することができる。
また、「任意に選択された装着帯」および「任意に選択された尾錠」とは、例えば市販されているバンドや、装身具にもともと付いているバンドの装着帯および尾錠のことをいう。
【０００８】
この発明によれば、中留具を構成する中板部材および下板部材の端部には、任意に選択された装着帯および尾錠が着脱自在に取り付けられる第１、第２取付部が設けられているので、例えば、バンドの着脱を容易にするために単なる尾錠付きのバンドを中留付きに変更する場合には、既設のバンドに用いられている装着帯および尾錠がそのまま流用されるようになり、尾錠付きバンドが本来保有する意匠性を確実に維持可能である。
また、装着帯等が老朽化した場合には、一般的に市販されている尾錠付きのバンドを購入し、中留具を残したまま尾錠および装着帯のみを交換すればよいから、中留具が付いたバンドを丸ごと新規に購入して交換する必要がなく、交換に要する費用が安価になる。
【０００９】
本発明の中留具は、装身具に用いられる装着帯の第１端部および第２端部同士を連結するための中留具において、一対の中板部材と、両端にこれら中板部材の一端が折り畳み自在に連結された下板部材とを備え、前記一対の中板部材のうちの一方の中板部材の他端には、任意に選択された装着帯の第１端部が着脱自在に取り付けられる第１取付部が設けられ、前記一対の中板部材のうちの他方の中板部材の他端には、任意に選択された尾錠が着脱自在に取り付けられる第２取付部が設けられ、この尾錠に他方の装着帯の第２端部側が係止されることを特徴とする。
この発明の中留具は、いわゆる観音開き式であるが、前述と同様な第１、第２取付部が設けられていることで、前述と同じ作用効果が得られる。
【００１０】
本発明の中留具では、前記中板部材および下板部材は、折り畳まれることで互いに係合するとともに、この中板部材または下板部材には、互いの係合状態を解除する操作部が設けられていることが好ましい。
このような発明によれば、中板部材または下板部材に互いの係合状態を解除する操作部を設けているので、バンドの着脱が容易である。なお、この操作部には、例えば、プッシュボタンの押し操作で各部材の係合状態を解除するプッシュ中留機構を採用することが好ましく、バンドの着脱がより容易になる。
【００１１】
本発明のバンドは、装身具本体に一方の端部が連結される一対の装着帯と、これら装着帯の他端同士を連結するための中留具とで構成されたバンドにおいて、前記中留具は、以上に説明したいずれかの中留具であることを特徴とする。
このような本発明によれば、このバンドは、装着帯同士が前述の中留具で連結されているので、古くなってバンドを交換したい場合には、装着帯および尾錠を中留具から外し、市販品の単なる尾錠付きのバンドの装着帯や尾錠と交換すればよく、着脱に便利な中留具をそのまま使用しながら、尾錠付きバンドが本来保有する意匠性が確実に維持され、また、交換に要する費用も安価になる。
【００１２】
本発明の装身具は、装身具本体に一方の端部が連結される一対の装着帯と、これら装着帯の他端同士を連結するための中留具とで構成されたバンドを有する装身具において、前記中留具は、以上に説明したいずれかの中留具であることを特徴とする。
このような発明の装身具も、前述したような中留具を連結したバンドを備えているために、古くなってバンドを交換したい場合には、装着帯および尾錠を中留具から外し、市販品の単なる尾錠付きのバンドの装着帯や尾錠と交換すればよく、尾錠付きバンドが本来保有する意匠性が確実に維持され、また、交換に要する費用も安価になる。
【００１３】
本発明の装身具において、時計であることを特徴とする。
常時身に着けている装身具としては時計がある。特に腕時計では、バンドとして尾錠付きのレザーバンドや中留付きの金属バンドが使われる。腕時計は、頻繁に着脱を繰り返すことが考えられるが、尾錠付きの外観を好み、かつ中留の使い易さを求める場合に本発明は有効であり、前述したような効果が得られる。
【００１４】
【発明の実施形態】
以下、各本実施形態を図面に基づいて説明する。
図１には、本発明の第１実施形態に係わる中留具、図２には、第１実施形態に係わる時計が示されている。図３には、第２実施形態に係わる中留具、図３には、第３実施形態に係わる中留具を示す。
【００１５】
〔第１実施形態〕
以下、本発明の第１実施形態に係わる中留具、バンド、時計について説明する。図１は、中留具の半開き状態を示す斜視図、図２は、第１実施形態に係わる時計（装身具）１の斜視図を示す。
図１において、時計１に用いられる中留具１０は、金属製の下板部材２０と、この下板部材２０に端部が連結された金属製の中板部材３０とを備えている。このような構成の中留具は、三つ折れ式中留具と呼ばれている。
【００１６】
下板部材２０は、例えば腕の外形に沿って湾曲した下板本体２０Ａを備えており、下板本体２０Ａの長手方向（湾曲方向）の一方の端部には、当該下板本体２０Ａの幅方向両側に突出した一対のバンド取付部（第１取付部）２０Ｂが形成されている。これらバンド取付部２０Ｂの先端はそれぞれ、下板本体２０Ａの上面２０Ｃ側に折り曲げられており、また、これらの先端部には、ばね棒６０のピンが挿通される挿通孔２０Ｄが穿設されている。ばね棒６０は、図示しないが、筒状に形成されたパイプ部材と、このパイプ部材の端部に進退可能に設けられたピンと、パイプ部材内に設けられて前記ピンを進出方向に付勢するばね部材とを備えたものになっている。一対のバンド取付部２０Ｂの間には、バンド３を構成する一方の装着帯４０の端部（第１端部）４０Ｂが挿入され、ばね棒６０で着脱可能に取り付けられている。
このような下板本体２０Ａは、平面幅が長手方向途中から中板部材３０との連結端に向かって徐々に狭く形成され、その先端には、下板本体２０Ａの上面２０Ｃ側に略円筒状に丸められた連結部２０Ｅが形成されている。連結部２０Ｅの内径は、中板固定軸７０の外径に対して回動可能な大きさとされる。下板本体２０Ａには、バンド取付部２０Ｂの近傍で上面２０Ｃ側が窪んだ凹部２０Ｆが形成され、この凹部２０Ｆにプッシュ中留機構９０が装着され、プッシュ中留機構９０を覆う押さえ板９１が下板本体２０Ａに固着されている。
【００１７】
プッシュ中留機構９０は、下板本体２０Ａの幅方向に突出して進退可能に装着された一対のプッシュボタン（操作部）９２を備え、また、図示しないが、内部には、プッシュボタン９２を進出側に付勢する図示略のばね部材を備え、プッシュボタン９２は、押さえ板９１に設けられた係止部９１Ａによって、進退方向の位置規制がなされている。
ここで、プッシュボタン９２の押し操作、操作解除で、プッシュボタン９２に設けられた係止片９２Ａと中板部材３０に設けられている係止軸３１との係脱で、中板部材３０の折り畳み係止と展開を行うことができる。
【００１８】
中板部材３０は、下板部材２０に沿って湾曲された中板本体３０Ａを備え、この中板本体３０Ａには、長手方向途中から下板部材２０との連結端部に向かって一対のアーム部３０Ｂが形成され、その端部には中板本体３０Ａの上面３０Ｃ側に略円筒状に曲げられた一対の連結部３０Ｄが形成されている。連結部３０Ｄの内径および外径は、下板部材２０の連結部２０Ｅと同じとされ、連結部３０Ｄの中空部に中板固定軸７０が挿入されている。この際、中板固定軸７０の長さは、連結部３０Ｄの外端長さよりもわずかに長く設定されている。また、連結部３０Ｄには、幅方向両側に突出した折曲した爪部３０Ｅが形成されている。
このような中板本体３０Ａの長手方向途中には、下板部材２０に向かって折り畳んだ際に、プッシュボタン９２の係止片９２Ａと係合する位置に係止軸３１が軸止されている。この係止軸３１には、傘部３１Ａが設けられている。
中板本体３０Ａのもう一方の端部には、上面３０Ｃ側に略円筒状に丸められた一対の尾錠取付部（第２取付部）３０Ｆが形成され、その内径は、ばね棒６０が遊嵌する大きささとされている。
【００１９】
以上の下板部材２０および中板部材３０で構成された中留具１０は、時計１に予め取り付けられていた尾錠８０付きのバンド３に後付けされたものであって、この中留具１０をバンド３に組み入れることにより、バンドの着脱を容易に行えるようにしてある。
【００２０】
バンド３にもともと使用されていた尾錠８０は、バンド３の全体的なデザインを考慮した形状、材質、色合いをそれぞれ有する枠部材８１と、突棒８２とを備えている。
尾錠８０の枠部材８１には、一対のアーム部８１Ａが形成され、その先端部には、ばね棒６０のピンが挿通されるピン挿通孔８１Ｂが対向して穿設されている。また、突棒８２には、貫通孔が穿設された突棒基部８２Ａと先端部８２Ｂが形成されている。この尾錠８０では、中板本体３０Ａの一対の尾錠取付部３０Ｆの両端部にアーム部８１Ａが取り付けられ、尾錠取付部３０Ｆの間には突棒基部８２Ａが取り付けられている。そして、尾錠取付部３０Ｆ、突棒基部８２Ａの孔を貫通してばね棒６０が挿通され、ばね棒６０のピンがピン挿通孔８１Ｂに挿入されて尾錠８０が着脱自在に取り付けられている。
このような尾錠８０には、バンド３を構成する他方の装着帯５０の端部（第２端部）５０Ｂが挿通され、突棒８２の先端部８２Ｂが任意の調整孔５０Ａに挿し通されて係止されている。
【００２１】
以下に、本実施形態の中留具１０の組み立て手順について説明する。
まず、下板本体２０Ａの凹部に一対のプッシュボタン９２とばね部材（図示しない）を装着し、押さえ板９１を溶接等の手段で下板本体２０Ａの上面２０Ｃに固着する。
続いて、下板本体２０Ａの連結部２０Ｅを中板部材３０の対向する一対の連結部３０Ｄの間に挿入し、中板固定軸７０を、それぞれの連結部２０Ｅ，３０Ｄの孔部に挿入する。次いで、中板部材３０の爪部３０Ｅを中板固定軸７０の両端部に当接するまで折り曲げ、中板固定軸７０が抜けるのを防止する。
【００２２】
次に、もともと尾錠８０のみが取り付けられたバンド３を本実施形態の中留具１０付きに変える手順について説明する。
まず、装着帯４０の尾錠８０側のばね棒６０を抜き外して、尾錠８０の枠部材８１、突棒８２を取り外す。次いで、中板部材３０の一対の尾錠取付部３０Ｆの対向面内に突棒８２の突棒基部８２Ａを配置し、これら尾錠取付部３０Ｆ、突棒基部８２Ａに設けられた孔に貫通してばね棒６０を挿通させる。次いで、枠部材８１のピン挿通孔８１Ｂをばね棒６０のピンに貫挿させて尾錠８０を中板部材３０に取り付ける。これにより、中板部材３０の尾錠取付部３０Ｆに枠部材８１、突棒８２をばね棒６０によって取り付ける。そして、装着帯４０の尾錠８０を取り外した端部を下板部材２０のバンド取付部２０Ｂに挿入し、別に用意したばね棒６０を装着帯４０のばね棒挿通孔に挿入して、装着帯４０を下板部材２０に取り付ける。さらに、他方の装着帯５０の先端部を尾錠８０の枠部材８１に挿通し、突棒８２を調整孔５０Ａに挿し通して、装着帯４０，５０と中留具１０を連結する。
なお、時計１に予め取り付けられた尾錠８０付のバンド３だけでなく、市販されている尾錠付きのバンドを中留具付きバンドに変える場合にも、前述の方法で変えることができる。このような場合としては、例えば本実施形態の時計１に用いられているバンド３において、古くなった装着帯４０，５０を交換する場合であり、中留具１０をそのまま流用するとともに、装着帯や尾錠として市販の新たなバンドのものを用いればよい。
【００２３】
図２において、本実施形態に係わる時計１は、ムーブメントが収容されたケース２を備え、このケース２には、ケース本体２Ａを挟んで２対のバンド取付部２Ｂが形成されており、装着帯４０，５０の端部が、それぞれ一対のバンド取付部２Ｂの間に挿入され、これらの装着帯４０，５０の端部に設けられた孔部４０Ｃ，５０Ｃに、ばね棒６１を挿入して着脱自在で、かつ回動可能に取り付けられている。このばね棒６１は、前述したばね棒６０と同じ構成とされている。
装着帯４０のもう一方の端部４０Ｂは、中留具１０の下板部材２０に形成された一対のバンド取付部２０Ｂの間に挿入されてばね棒６０で着脱自在、かつ回動可能に取り付けられている。装着帯４０の中留具１０側には、バンド止め輪４１，４２が設けられていており、一方のバンド止め輪４１が装着帯４０に固着され、バンド止め輪４２がバンド止め輪４１よりケース２側に配置されて、装着帯４０の長手方向に移動可能とされている。
装着帯５０の他方の端部５０Ｂは、尾錠８０の一対のアーム部８１Ａの間に下板部材２０側から挿通され、突棒８２の先端部８２Ｂが、適宜選択された調整孔５０Ａに挿し通されて係止され、端部がバンド止め輪４１，４２に挿通されている。このことによって、時計１は、ケース２、装着帯４０，５０、中留具１０が連結されて、腕に装着することができる。
【００２４】
従って、本実施形態によれば、次のような効果が得られる。
（１）中留具１０によれば、下板部材２０および中板部材３０の端部に設けられたバンド取付部２０Ｂおよび尾錠取付部３０Ｆに対しては、予め時計１に用いられていたバンド３の装着帯４０，５０および尾錠８０をそのまま取り付けることができるため、バンド３の着脱を容易にするためには、単なる尾錠８０付きのバンド３に中留具１０を組み入れるだけでよい。従って、既設のバンド３に用いられている装着帯４０，５０および尾錠８０をそのまま流用でき、尾錠８０付きのバンド３が本来保有する意匠性を確実に維持できる。つまり、中留具１０単体、または予め中留具１０が付いたバンド３、あるいはこのような中留具１０付きのバンド３が用いられた時計１を一度購入してしまえば、その後のバンド交換においては、尾錠付きバンドの特有の外観を維持しつつ、着脱し易い時計を得ることができる。
【００２５】
（２）また、装着帯４０，５０等が老朽化し、新たな別の市販バンドと交換するときでも、中留具１０をそのまま残して装着帯および尾錠だけを交換すればよく、市販されている尾錠付きバンドが本来有する意匠性を確実に維持できる。また、中留具１０を残したまま尾錠および装着帯のみを交換することができることから、新たな中留具が付いたバンドを丸ごと新規に購入して交換する必要がなく、交換に要する費用を安価にすることもできる。
【００２６】
（３）さらに、装着帯４０，５０および尾錠８０は任意に選択でき、中留具１０との組み合わせも任意であるから、市場での多様なデザインや素材のバンド３を購入して組み合わせることができ、使用者の選択幅を大幅に拡大でききる。
【００２７】
（４）中留具１０にはプッシュ中留機構９０が設けられ、このプッシュ中留機構９０のプッシュボタン９２を操作するだけで下板部材２０および中板部材３０互いの係合状態を解除することができ、バンド３の着脱を一層容易にできる。
【００２８】
（５）この際、プッシュ中留機構９０では、係止片９２Ａが下板部材２０に設けられ、これに係止する係止軸３１が中板部材３０に設けられ、下板部材２０および中板部材３０が直に係合する構造であるから、背景技術で説明した特許文献２，３に記載の上箱や上板部材を不要にでき、構造を簡略化できる。
【００２９】
〔第２実施形態〕
次に、本発明の第２実施形態に係わる中留具について説明する。本実施形態の中留具は、第１実施形態とは、装着帯４０および尾錠８０との取付部のみが異なるものであるから、以下に取付部を中心に説明し、その他の構造については説明を省略する。
【００３０】
図３は、本実施形態の中留具１００の半開きの状態を示す斜視図を示す。
図３において、中留具１００を構成する下板本体２００Ａには、長手方向途中から一方の端部にかけて一対のアーム部２００Ｂが形成され、その端部には下板本体２００Ａの上面２００Ｃ側に略円筒状に丸められた略筒状の尾錠取付部（第２取付部）２００Ｄが形成されている。尾錠８０の一対のアーム部８１Ａの間に一対の尾錠取付部２００Ｄが挿入され、尾錠８０の突棒基部８２Ａが尾錠取付部２００Ｄの中央部に挿入され、各部材に穿設された孔を貫通してばね棒６０が挿入され、尾錠８０が下板部材２００に着脱可能に取り付けられている。尾錠８０の取付部構造は、前述した第１実形態（図１）の尾錠８０と中板部材３０との取り付け構造と同じである。ここで、尾錠８０は、下板本体２００Ａとは反対方向に向けて装着されている。
下板本体２００Ａの他方の端部側は、長手方向途中から端部に向かって平面方向幅が徐々に狭く形成され、その先端に下板本体２００Ａの上面２００Ｃ側に、略円筒状に丸められた連結部２００Ｅが形成されている。下板本体２００Ａの尾錠８０装着側には、プッシュ中留機構９０が装着されている。プッシュ中留機構９０の構造は第１実施形態（図１）と同じのため説明は省略するが、プッシュボタン９２の押し操作および操作解除で、プッシュ中留機構９０と中板部材３００に設けられている係止軸３１との係脱ができ、中板部材３００の折り畳み係止と展開が行われる。
【００３１】
中板本体３００Ａの長手方向の一方の端部には、当該中板本体３００Ａの幅方向両側に突出した一対のバンド取付部（第１取付部）３００Ｂが形成されている。バンド取付部３００Ｂの先端はそれぞれ、中板本体３００Ａの上面３００Ｃ側に折り曲げられており、その先端には、ばね棒６０のピン挿通孔３００Ｆが穿設されている。バンド取付部３００Ｂとは反対側には、長手方向途中から一対のアーム部３００Ｅが端部まで形成され、その先端部には中板本体３００Ａの上面３００Ｃ側に略円筒状に丸められた連結部３００Ｄが形成されている。
この中板部材３００と下板部材２００との連結部構造は第１実施例（図１）と同じため説明は省略するが、中板部材３００と下板部材２００とは、折り畳み可能に中板固定軸７０が挿通され連結されている。
ここで、中板部材３００の一対のバンド取付部３００Ｂの間には、装着帯４０の端部４０Ｂが配置され、ばね棒６０によって着脱自在に取り付けられている。また、装着帯５０の端部５０Ｂは、尾錠８０に挿通され、突棒８２の先端部８２Ｂを調整孔５０Ａに挿し通して係止されている。
また、中板本体３００Ａの長手方向途中には、中板部材３００を折りたたんだ際に、プッシュボタン９２の係止片９２Ａと係合する位置にプッシュ中留機構９０に向かって係止軸３１が軸止されている。これら、プッシュ中留機構９０および係止軸３１の係脱構造も第１実形態（図１）と同じである。
【００３２】
このような第２実施形態の中留具１００は、前述した第１実施形態の中留具１０とは、装着帯４０，５０および尾錠８０が、中板部材３０，３００または下板部材２０，２００のどちらに装着されるかという違いがあるものの、任意の装着帯４０および尾錠８０が中留具１０に着脱自在に取り付けられるという構造や、他の構造は同じであるため、前述した（１）〜（５）の効果を同様に得ることができる。
【００３３】
次に、本発明の第３実施形態に係わる中留具について説明する。本実施形態の中留具は、第１実施形態、第２実施形態による中留具に対して観音開き式中留具と呼ばれ、下板部材両端に一対の中板部材が折り畳み自在に連結されている。
【００３４】
図４は、本発明の中留具１０００を半開きにした状態を示す断面図である。
図４において、中留具１０００の下板部材２０００は、腕の外形に沿って湾曲した金属薄板製の下板本体２０００Ａを備え、この下板本体２０００Ａの長手方向両端には、中板固定軸７０が挿入される一対の筒状の連結部２０００Ｅが形成されている。これらの連結部２０００Ｅは、平面形状および断面形状ともに第１実施形態（図１）における下板部材２０の連結部２０Ｅと同じであるため説明は省略するが、下板部材２０００と中板部材３０００とは中板固定軸７０によって折り畳み可能に係止されている。下板部材２０００の長手方向中央部には、一対の略長方形の孔２０００Ｇが穿設され、この孔２０００Ｇ内にはプッシュ中留機構９００のプッシュボタン（操作部）９２０に形成された突起部９２０Ａが挿入される。
【００３５】
プッシュ中留機構９００は、下板部材２０００の幅方向両端に下板本体２０００Ａよりも先端が突出して形成された進退可能な一対のプッシュボタン９２０と、このプッシュボタン９２０を進出方向に付勢する図示略のばね部材と、これらプッシュボタン９２０およびばね部材を下板本体２０００Ａの下面２０００Ｆの間に可動支持し、かつ下板部材２０００に固着された押さえ板９１０とを含んで構成されている。プッシュボタン９２０には、バンド長手方向両端に下板部材２０００の上面２０００Ｃ方向に突出した一対の鉤状の突起部９２０Ａが形成されており、下板本体２０００Ａに穿設された孔２０００Ｇに挿入されている。
【００３６】
中板部材３０００は、中板部材３１００，３２００として一対設けられているとともに、下板部材２０００に沿って湾曲している。これら中板部材３１００，３２００の一方の端部には、中板固定軸７０が挿入される一対の筒状の連結部３１００Ｅ，３２００Ｅが形成されているが、この連結部３１００Ｅ，３２００Ｅの平面形状や、断面形状、および下板部材２０００との連結構造はともに、第１実施形態（図１）における中板部材３０の連結部３０Ｄと同じであるため説明は省略するが、各連結部３１００Ｅ，３２００Ｅの孔に貫通して中板固定軸７０が挿入され、折り畳み可能に係止されている。
中板部材３１００の連結部３１００Ｅとは反対側の端部には、幅方向に突出し、かつ上面３１００Ｃ方向に折り曲げられた一対のバンド取付部（第１取付部）３１００Ｂが形成され、このバンド取付部３１００Ｂの間に装着帯４０の端部４０Ｂが挿入されてばね棒６０で着脱自在、かつ回動可能に係止されている。
一方の中板部材３２００の連結部３２００Ｅとは反対側の端部には、中板部材３２００の上面３２００Ｃ側に筒状に丸められた尾錠取付部（第２取付部）３２００Ｄが形成され、この尾錠取付部３２００Ｄに尾錠８０がばね棒６０によって着脱自在に係止されている。これら中板部材３２００と尾錠８０の連結部も第１実施形態（図１）と同じ構造のため説明は省略するが、尾錠８０は、中板部材３２００の上面３２００Ｃ側に向かって装着されている。
中板部材３１００，３２００にはそれぞれ、下板部材２０００側に向かってプッシュボタン係止部３５００が設けられ、中板部材３１００，３２００を矢印方向Ａ，Ｂに折り畳んだとき、プッシュボタン９２０の突起部９２０Ａに係合して係止され、プッシュボタン９２０の押し操作でこの係合が解除される。
【００３７】
中板部材３１００のバンド取付部３１００Ｂには、装着帯４０が着脱自在に係止され、中板部材３２００に係止されている尾錠８０には装着帯５０が挿通され、突棒８２を調整孔５０Ａに挿し通して、装着帯が係止されている。これら装着帯４０，５０の中留具１０００との連結構造も第１実施形態（図１）、第２実施形態（図３）の連結構造と同じため、詳しい説明を省略する。
【００３８】
このような第３実施形態は、前述した第１実施形態や第２実施形態の三つ折れ式中留具に対して観音開き式中留具であるという違いはあるが、中留具１０００に任意の装着帯４０，５０および尾錠８０が着脱自在に取り付けられるという構造は同じであるため、やはり前述した（１）〜（５）の効果を同様に得ることができる。
【００３９】
なお、本発明は前述の各実施形態に限定されるものではなく、本発明の目的を達成できる範囲での変形、改良等は本発明に含まれるものである。
例えば、前記第１実施形態ないし第３実施形態では、プッシュ中留機構９０，９００は、下板部材２０，２００，２０００に装着されているが、中板部材３０，３００、３０００に装着してもよい。
また、前記第３実施形態では、プッシュボタン９２０に一対の突起部９２０Ａを設け、中板部材３１００，３２００のそれぞれに形成されたプッシュボタン係止部３５００と係合させて、折り畳み係脱をしているが、中板部材３１００，３２００どちらか一方が先に折り畳まれ、他方が後から折り畳まれるようにするとともに、一方を外れないように他方で押さえる構造にしてもよく、こうすることで、後から折り畳む方の中板部材３０００にのみプッシュボタン係止部３５００を設け、また、プッシュボタン９２０側の突起部９２０Ａも一つだけ設ければよいから、より簡素な構成のプッシュ中留機構を得ることができる。
また、第１実施形態ないし第３実施形態では、バンド３として一対の装着帯４０，５０を備えていたが、装着帯４０，５０を連続させたような構成の一本の装着帯を用いてもよい。このような場合には、例えば、時計１で用いるにあたっては、この装着帯の途中に時計１のケース２を取り付けるとともに、装着帯の一端部（第１端部）を中留具１０，１００，１０００のバンド取付部２０Ｂ，３００Ｂ，３１００Ｂに取り付け、他端部（第２端部）側を尾錠８０に通して止めることになる。
さらに、本発明の装身具としては、時計に限定されるものではなく、任意の電装身具であってもよく、例えば、携帯情報端末等の機能を有した装身具であってもよい。
【００４０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【図１】本発明の第１実施形態に係わる中留具を示す斜視図。
【図２】第１実施形態に係わる時計の斜視図。
【図３】本発明の第２実施形態に係わる中留具を示す斜視図。
【図４】本発明の第３実施形態に係わる中留具を示す断面図。
【符号の説明】
１…時計（装身具）
３…バンド
１０，１００，１０００…中留具
２０，２００，２０００…下板部材
２０Ｂ，３００Ｂ，３１００Ｂ…バンド取付部（第１取付部）
３０，３００，３０００，３１００，３２００…中板部材
３０Ｆ，２００Ｄ，３２００Ｄ…尾錠取付部（第２取付部）
４０，５０…装着帯
４０Ｂ…端部（第１端部）
５０Ｂ…端部（第２端部）
８０…尾錠
９０，９００…プッシュ中留機構
９２，９２０…プッシュボタン（操作部）
【図１】
2004267280.tif 000003
【図２】
2004267280.tif 000004
【図３】
2004267280.tif 000005
【図４】
2004267280.tif 000006